(57)【要約】本発明は、固液分離過程が必要なバッチ法や、送液に高い圧力が必要な充填カラム法に汎用される粒子状担体よりも高効率高性能な、一体型反応性多孔質担体を提供する。本発明は、あらかじめ反応部位となる官能基を含む出発物質を溶解させた溶媒中で、シリカ、金属酸化物あるいは有機無機ハイブリッド組成の一体型多孔質ゲルの前駆体を反応させ、相分離とゾル−ゲル転移を同時に引き起こし、直径１００ｎｍ以上の連続気孔を有する上記組成のゲルを形成させることを特徴とする。
2004018099.tif 000002
【特許請求の範囲】
【請求項１】
ゾル−ゲル反応溶液に反応部位を含む成分を共存させておき、相分離を伴うゾル−ゲル転移を起こさせることによって、開気孔と表面に反応活性を有する、実質的にメタロキサン結合および炭化水素鎖の骨格成分からなる反応性多孔質担体を製造することを特徴とする一体型反応性多孔質担体の製造方法。
【請求項２】
開気孔が直径１００ｎｍ以上、体積気孔率が２０％以上である請求の範囲第１項記載の一体型多孔質反応性担体の製造方法。
【請求項３】
担体となる多孔質材料が、側面を被覆されたカラム状であるもの、直径１ｍｍ以下のキャピラリー中に作製されたもの、基板上の幅１００μｍ以下の微小な溝の中に作製されたもの、およびそれらを適宜連結して連続流路構造とした請求の範囲第１項乃至２項に記載の一体型反応性担体の製造方法。
【請求項４】
反応部位が、貴金属触媒、金属酸化物触媒、酵素などの生化学触媒、抗原抗体反応を起こすタンパク質あるいはポリペプチド、付加反応の起こり得る多重結合、エポキシ環など開環反応が可能な有機官能基、重縮合反応が可能な有機官能基、酸性あるいは塩基性官能基、イオン交換基、電荷移動反応のドナーあるいはアクセプター、錯形成可能な官能基および錯形成した金属を含む官能基、およびそれらの複合した部位である、請求の範囲第１項乃至３項に記載の一体型反応性多孔質担体の製造方法。
【請求項５】
反応部位がゾル−ゲル反応の際に共存させた微粒子表面である請求の範囲第１項乃至３項に記載の一体型反応性多孔質担体の製造法。
【請求項６】
請求の範囲第１項乃至５項の製造法により製造された骨格表面に反応部位を有し１００ｎｍ以上の気孔を有する一体型反応性多孔質担体。
【請求項７】
請求の範囲第６項記載の一体型反応性多孔質担体を複数結合してなるシステム装置。
【発明の詳細な説明】
【技術分野】  本発明は、骨格上に反応部位を有する一体型反応性多孔質担体の製造法に関する。
【背景技術】  担体に固定された少なくとも一種類の反応基質あるいは触媒の関わる化学反応においては、一般に大きい比表面積を有する微粒子状多孔質材料が担体として用いられ、多くの場合該微粒子状多孔質材料を反応基質の溶液中に分散させることによって、固相表面と液相中の化学種を接触させて反応を進める方法が採用されている。液相中に反応基質や触媒を含む微粒子を分散させると、反応終了後に微粒子と反応溶液を分離する必要が生じるため、工程が複雑になる。液相と固相の分離工程を含まない方法として、液相中への担体微粒子の分散の代わりに、担体微粒子を充填した反応管（カラム）を調製し、その反応管内に反応基質の溶液を通じることによって、固相表面と液相中の化学種との接触を行うことができる。しかしながら、高効率な表面接触を実現し、実用的な速度で通液を行うためには、微粒子の形状、大きさ、粒径分布および充填方法などを最適化する必要があり、高効率な反応担体を得ることは一般に困難となる。
他方、相分離を利用したゾル−ゲル法によって、二酸化ケイ素（シリカ）あるいはゲル網目を形成する金属酸化物およびシロキサン結合と炭化水素鎖を含む有機無機ハイブリット組成を始めとする、一体型多孔質体が再現性良く製造されることが知られている。相分離を利用したゾル−ゲル法によって得られる適切に調製された多孔体は、送液に要する圧力（カラム圧）が極めて低く、液体クロマトグラフィーの分離媒体として極めて高い分離効率を示し、溶液に溶解した溶質分子の細孔表面サイトへの高効率な接触を実現することが知られている。
反応性担体カラムへの通液による化学反応は、単純な工程によってエネルギー効率を大幅に改善し、不要な溶媒等の消費を抑制して環境負荷を著しく軽減すると予測されるにもかかわらず、主に担体カラム構造の制御と高性能化が困難であったために、従来十分に開拓されていない。
【発明の開示】
発明の目的
そこで本件発明者が研究したところ、二酸化ケイ素（シリカ）あるいはゲル網目を形成する金属酸化物およびシロキサン結合と炭化水素鎖を含む有機無機ハイブリッド組成を成分とするゾル−ゲル反応溶液に、あらかじめ反応部位を含む出発原料を共存させておき相分離を伴うゾル−ゲル転移を起こさせることにより、あるいは多孔構造をもつゲル形成から最終的な熱処理に至るまでの適切な段階で付加的に反応部位を含む化合物を一体型多孔質の細孔表面と反応させることにより、一体型多孔質材料の細孔表面に化学反応を起こす官能基を有し、これと固相−液相界面で接触する溶質分子との間に化学反応を起こすことのできる、一体型反応性多孔質材料を作製することができることが明らかになった。
発明の概要
本発明は、ゾル−ゲル反応溶液に反応部位を含む成分を共存させておき、相分離を伴うゾル−ゲル転移を起こさせることによって、開気孔と表面に反応活性を有する、実質的にメタロキサン結合および炭化水素鎖の骨格成分からなる反応性多孔質担体を製造することを特徴とする一体型反応性多孔質担体の製造方法である。
ここで、開気孔は直径１００ｎｍ以上、体積気孔率は２０％以上である。
また、担体となる多孔質材料は、側面を被覆されたカラム状であるもの、直径１ｍｍ以下のキャピラリー中に作製されたもの、基板上の幅１００μｍ以下の微小な溝の中に作製されたもの、およびそれらを適宜連結して連続流路構造としたものである。
反応部位は、貴金属触媒、金属酸化物触媒、酵素などの生化学触媒、抗原抗体反応を起こすタンパク質あるいはポリペプチド、付加反応の起こり得る多重結合、エポキシ環など開環反応が可能な有機官能基、重縮合反応が可能な有機官能基、酸性あるいは塩基性官能基、イオン交換基、電荷移動反応のドナーあるいはアクセプター、錯形成可能な官能基および錯形成した金属を含む官能基、およびそれらの複合した部位である。
また、反応部位は、ゾル−ゲル反応の際に共存させた微粒子表面である。
本発明の製造法により製造された担体は、骨格表面に反応部位を有し１００ｎｍ以上の気孔を有する一体型反応性多孔質担体である。
また、本発明は、本発明の製造法により製造した一体型反応性多孔質担体を複数結合してなるシステム装置である。
【図面の簡単な説明】  図１は、ビニル基を含む反応性担体の細孔径分布を水銀圧入法で求めた図である。
出発組成中のモル比として、テトラメトキシシラン：ビニルメトキシシラン＝２：８
実線：出発組成中のモル比が、ホルムアミド：メタノール：水＝１：３：５の試料
点線：出発組成中のモル比が、ホルムアミド：メタノール：水＝０．４：３：１．５の試料
発明を実施するための形態
本発明は、その骨格構造の細孔表面に適切な方法によって導入された反応部位を有し、相分離を伴うゾル−ゲル反応によって形成される大きさの揃った開気孔を含む一体型反応性多孔質材料を製造することを特徴とする一体型反応性多孔質材料の製造方法である。より詳しくは、ゾル−ゲル反応溶液に反応部位を含む成分を共存させておき、相分離を伴うゾル−ゲル転移を起こさせることによって、開気孔と表面に反応活性を有する、実質的にメタロキサン結合および炭化水素鎖の骨格成分からなる反応性多孔質担体を製造することを特徴とする一体型反応性多孔質担体の製造方法である。
ここで、開気孔は、直径１００ｎｍ以上、好ましくは２００〜１００００ｎｍである。その体積気孔率は２０％好ましくは４０％以上である。本発明による多孔体は堅固な容器壁に囲まれた制限された形状・大きさの空間に形成することが可能であり、そのような制限空間内では実質的な気孔率を１００％に極めて近く調製することも可能である。直径１００ｎｍ以上のマクロ孔は、相分離の際に生じる溶媒相の占めていた領域として形成されるので、通常の乾燥操作により燃焼や熱分解を伴うことなく形成し、溶媒相とゲル相が各々絡み合って連続したいわゆる共連続構造を形成する場合には、極めて鋭いサイズ分布を得ることができる。またより高い気孔率とより大きい平均サイズに調製することにより、一体型反応性多孔質カラムの圧力損失を軽減することができ、多数のカラムの連結や分岐したカラム系を組み上げて、汎用的なポンプによる駆動で通液することを可能とする。
その方法は、あらかじめ反応部位となる官能基を含む出発物質を溶解させた溶媒中で、シリカあるいはゲル網目を形成する金属酸化物および有機無機ハイブリッド組成の一体型多孔質ゲルの前駆体を反応させ、相分離とゾル−ゲル転移を同時に引き起こし、直径１００ｎｍ以上の連続気孔を有する上記組成のゲルを形成させる、あるいは、直径１００ｎｍ以上の連続気孔を有する上記組成のゲルを形成させ、引き続いて湿潤ゲルから乾燥・熱処理に至る適切な段階で、付加的に反応部位を含む化合物を一体型多孔質の細孔表面と反応させることを特徴とする。
相分離は、材料の製造プロセスにおいて、沈殿や析出によって出発成分と異なる成分を持つ領域が生成する広汎な現象であり、一般にゾル−ゲル反応系においては、ゲル形成を起こす網目形成成分に富む相（ゲル相）と、ゲル形成を起こさない溶媒成分に富む相（溶媒相）とに、分離が起こる。各相領域の形成にあたっては、化学ポテンシャルの差を駆動力として濃度勾配に逆らった成分の拡散が起こり、各相領域が与えられた温度・圧力下での平衡組成に達するまで、物質移動が継続する。この際に、出発組成に反応部位を含む物質を共存させ、なおかつ反応部位を含む出発成分が相分離やゾル−ゲル反応に多孔構造の制御が不可能になるほどの著しい影響を与えないような条件を選ぶと、反応部位を含む出発物質の化学的な性質に従って、ゲル網目を形成する金属酸化物および有機無機ハイブリッド組成の一体型多孔質材料の細孔表面に、化学的に結合した反応部位を付け加えることが可能となる。
また、本発明においては相分離を伴うゾル−ゲル反応は、通液型の反応性カラムの作製を可能とする開気孔を有する多孔構造作製のために必要であるが、反応部位を該多孔体に付与する手段としてはゾル−ゲル反応と同時に行うことに制限されない。したがって、ゾル−ゲル反応の最初から共存させることの困難な出発物質については、シリカあるいはゲル網目を形成する金属酸化物および有機無機ハイブリッド組成の一体型多孔質ゲルを形成させ、引き続いて湿潤ゲルから乾燥・熱処理に至る適切な段階で付加的に反応部位を含む化合物を一体型多孔質の細孔表面と反応させることによって、目的の一体型反応性多孔質担体を得ることもできる。同様に、すでに反応部位を有する該細孔表面に、付加的な反応によって異なる種類の反応部位を結合させたり、最初に導入されている反応部位を化学的に変化させた後に、反応性担体として利用することも可能である。
ゾル−ゲル反応に用いられるゲル形成を起こす網目成分の前駆体としては、金属アルコキシド、錯体、金属塩、有機修飾金属アルコキシド、有機架橋金属アルコキシド、およびこれらの部分加水分解生成物、部分重合生成物である多量体を用いることができる。水ガラスほかケイ酸塩水溶液のｐＨを変化させることによるゾル−ゲル転移も、同様に利用することができる。
さらに本発明の具体的な製造方法は、水溶性高分子あるいは界面活性剤あるいは相分離を誘起することのできる共存成分の共存下で、加水分解性の官能基を有する金属化合物を加水分解させ、これと同時にあるいは時間差をおいて、触媒機能成分あるいは酵素あるいは反応性官能基を含む第三成分（反応部位を含む成分）を加え、生成物が固化した後、次いで乾燥し加熱する。
ここで、水溶性高分子は、理論的には適当な濃度の水溶液と成し得る水溶性有機高分子であって、加水分解性の官能基を有する金属化合物によって生成するアルコールを含む反応系中に均一に溶解し得るものであれば良いが、具体的には高分子金属塩であるポリスチレンスルホン酸のナトリウム塩またはカリウム塩、高分子酸であって解離してポリアニオンとなるポリアクリル酸、高分子塩基であって水溶液中でポリカチオンを生ずるポリアリルアミンおよびポリエチレンイミン、あるいは中性高分子であって主鎖にエーテル結合を持つポリエチレンオキシド、ポリビニルピロリドン、ポリアクリルアミド、あるいはポリオキシエチレン−ポリオキシプロピレン−ポリオキシエチレンブロック共重合体等が好適である。また、有機高分子に代えて比較的高い極性を有する有機溶媒、具体的には多価アルコール、酸アミド類、界面活性剤を用いてもよく、その場合多価アルコールとしてはエチレングリコールおよびグリセリンが、酸アミド類としてはホルムアミドが、界面活性剤としては四級アンモニウム塩などのカチオン性界面活性剤やポリオキシエチレンアルキルエーテル類などのノニオン性界面活性剤が最適である。
加水分解性の官能基を有する金属化合物としては、金属アルコキシド又はそのオリゴマーを用いることができ、これらのものは例えば、メトキシ基、エトキシ基、プロポキシ基等の炭素数の少ないものが好ましい。また、その金属としては、最終的に形成される酸化物の金属、例えばＳｉ、Ｔｉ、Ｚｒ、Ａｌが使用される。この金属としては１種又は２種以上であっても良い。一方オリゴマーとしてはアルコールに均一に溶解分散できるものであればよく、具体的には１０量体程度まで使用できる。また、これらのケイ素アルコキシドのアルコキシ基のいくつかがアルキル基に置換された、アルキルアルコキシシラン類、２つ以上の金属を炭化水素を主とする架橋構造によって結びつけた架橋アルコキシド類、およびそれらの１０量体程度までのオリゴマーが好適に用いられる。またケイ素に変えて中心金属元素を、チタン、ジルコニウム、アルミニウム等に置換したアルキル置換金属アルコキシドも同様に用いることができる。
また、酸性水溶液としては、通常塩酸、硝酸等の鉱酸０．００１規定以上のもの、あるいはギ酸、酢酸等の有機酸０．１規定以上のものが好ましい。
加水分解にあたっては、溶液を室温〜８０℃で０．５〜３時間保存することによって達成できる。
多孔質担体構造に反応活性を付与する働きをもつ触媒機能成分あるいは酵素あるいは反応性官能基を含む第三成分としては、金、（ロジウム、ルテニウム、白金、パラジウムなどのいわゆる貴金属触媒および遷移金属触媒、光や熱の刺激によってその表面に電子を発生する金属酸化物触媒（例えば、酸化チタン、酸化ニッケル）、生体外で活性を付与することのできる酵素（例えば、ウレアーゼ、リパーゼ、トリプシン）、あるいは酵素の失活を防ぎ活性の維持を可能とする生体類似保護構造内の酵素（例えば、ポリオキシエチレンアルキルエーテルによるミセルに保護されたリパーゼ）、多重共有結合や環状共有結合などの反応活性を有する有機官能基（例えば、ビニル基、アリル基、エポキシ基、ε−カプロラクトン環）特定の配位子によって安定化あるいは活性化された金属錯体（例えば、インデニル基に担持されたロジウム、アセチルアセトン基に配位されたジルコニウム、２個のアンモニウムおよび２個の塩化物イオンに配位された白金）、などを用いることができる。これらの第三成分は、多孔質担体の表面に物理吸着、化学吸着、化学結合などを介して導入される。
本発明の製造方法によれば、連続開気孔とその表面に化学反応活性を有する、実質的にメタロキサン結合および炭化水素鎖の骨格成分からなる反応性多孔質担体が得られる。
ここで、「実質的に」とは、メタロキサン結合および炭化水素鎖のいずれかに関わる原子の数が、その他の修飾的に含まれる原子に対して、同数以上存在することを意味する。
また、本発明によれば、異なる反応に対応する複数の担体の結合が可能であり、必要に応じて複数の反応担体からの合流や、複数の反応担体への分岐構造が可能である。
なお、担体となる多孔質材料としては、側面を被覆されたカラム状であるもの、直径１ｍｍ以下のキャピラリー中に作製されたもの、基板上の幅１００μｍ以下の微小な溝の中に作製されたもの、およびそれらを適宜連結して連続流路構造としたものを挙げられるが、これらに限定されない。
さらに、本発明の一体型反応性多孔質担体は、骨格表面に反応部位を有し１００ｎｍ以上の気孔を有し、該反応性多孔質担体を複数結合してシステム装置、例えば多次元クロマトグラフなどとして使用することができる。
以上の本発明によれば、連続開気孔とその表面に化学反応活性を有する、反応性多孔質担体が得られ、カラム状に加工した担体を連結することにより、多段階の反応を実現することができる。
【実施例】
【実施例１】  まず極性溶媒であるホルムアミド（モル比、ホルムアミド：メタノール：水＝１：３：５）を１モル濃度硝酸水溶液に均一に溶解し、この溶液にテトラメトキシシランとビニルトリメトキシシランのモル比で２：８の混合物を混合することにより、加水分解反応を行った。約５分間の撹拌の後、得られた均一溶液を密閉容器中４０℃でゲル化させることにより、表面にビニル基をもつマクロ多孔性構造を有するシロキサン結合からなるゲルを得た。得られたゲルをそのままの温度で３日間熟成させ、そののち８０℃で溶媒を蒸発除去することによって、塊状のマクロ多孔性担体を得た。この担体試料を円柱状に加工して側面を熱硬化性樹脂で覆い、両端を開放構造としてマクロ孔表面にビニル基を有する反応性通液カラムとした。
得られた反応性カラムの細孔径分布を水銀圧入法で求めた結果を図１の実線に示す。
（臭素吸収反応の実験）
本方法によって得られた炭素炭素二重結合を有する多孔性通液カラム（カラム体積約２ｃｍ３）に０．１モル濃度臭素溶液５０ｍｌを室温、１ｍｌ／ｍｉｎの速度で循環流通させ、臭素濃度を吸光法によって一定時間ごとに定量したところ、５時間後に全臭素の８０％以上がカラムに吸収された。
【実施例２】  実施例１において、出発溶液中のホルムアミドあるいは硝酸水溶液の濃度を変化させることにより（出発組成中のモル比が、ホルムアミド：メタノール：水＝０．４：３：１．５の試料）、異なるマクロ孔系を有するゲルを得た。細孔直径約１μｍのマクロ孔を有するゲルの水銀圧入法によって求めた細孔径分布を図１の点線として示す。マクロ孔径が大きくなるほど流動抵抗は小さくなるが臭素の吸収速度は減少し、マクロ孔径が小さくなるほど流動抵抗は大きくなるが臭素の吸収速度は増加した。
【実施例３】  実施例１と同様のカラムを２本および３本連結して同様な臭素吸収実験を行ったところ、連結数が増すほど流動抵抗は大きくなるが、臭素の吸収速度は増加した（２本の場合、３時間後に全臭素の８０％以上がカラムに吸収、３本の場合、２時間後に全臭素の８０％以上がカラムに吸収された）。
【産業上の利用可能性】  本発明により製造された多孔質担体は、その細孔表面で化学反応を起こしあるいは化学反応を触媒する、反応性担体として利用される。
【図１】
2004018099.tif 000003
【国際調査報告】
2004018099.tif 000004
2004018099.tif 000005